(57)【要約】【課題】簡単な構造で部品点数も少なく安価に製造でき、何人も簡単にスポーク付き車輪に脱着取替えができ、２輪車の停止時や走行時に側方から広告機能や持ち主の帰属機能を向上可能にする。【解決手段】平板１は、ハブ配設部３である真円の中心を中心としてハブ配設部３の開口縁と同心円の外周縁４を具備するドーナッツ形状に形成されている。平板１には、ハブ配設部３の中心より外周縁４の方向に延びる半径上を通って一直線状に切断された切断部５を設けている。切断部５により形成された対向する一方の切縁６と他方の切縁７は互いに当接する。平板１の外面には宣伝広告が記載表示されている。平板１には、紐等の留め具挿通するための孔８が穿設されている【選択図】図３
2010173626.tif 000002
【特許請求の範囲】
【請求項１】
２輪車の前輪又は／及び後輪はリムとハブとの間にスポークが設けられ、該スポーク内側に取り付けられて、車輪側方から視認可能な広告表示を行うためのスポーク付き車輪用広告表示板であって、
リムの側面形状よりも狭小な形状に形成された平板に、ハブを内側に配設可能な大きさのハブ配設部を開設し、
前記平板の前記ハブ配設部の開口縁から平板外周縁にかけて切断部を形成し、
該切断部の対向する切縁のうち一方の切縁から他方の切縁にかけて、平板を車輪のハブを中心としてスポークの内側に差し込み、スポーク配設部分内側に前記平板を取り付けるように形成されてなることを特徴とするスポーク付き車輪用広告表示板。
【発明の詳細な説明】
【技術分野】
【０００１】  本発明は、２輪車のリムとハブとの間に設けたスポークの内側に、サイド方向から平板に表示された広告等を視認可能なスポーク付き車輪用広告表示板に関する。
【背景技術】
【０００２】  従来、広告機能を具備する２輪車としては、アルミホィールやタイヤ側面に文字、図形等を表示し、その文字等が通過するタイミングで一瞬だけ文字等に向かって光を照射するようにタイヤ近傍に光源を設けたタイヤ用ストロボ画像・文字表示器が存在する（例えば、特許文献１参照）。
上記タイヤ用ストロボ画像・文字表示器は車輪の近傍に光源を設ける構成であるため、車輪のリム内側全面にホィールを取り付けクォータパネルを具備した自動車であると実施が可能である。しかし、自転車にこの構成を応用すると鋼鉄細線よりなるスポークにストロボ画像等を取り付け、車輪近傍の非回転構成部材、例えば車輪カバー等に光源を設けなければならないため、適用が極めて困難であるという問題点があった。
又、車輪のリムとハブとの間にスポークを設けないで、中央にハブ嵌着孔を設けた円板をハブ嵌着孔縁をハブ周面に嵌めこみ、外周縁はリム内周面に嵌めこんで使用する広告表示付き自転車が提案されている（例えば、特許文献２参照）。
特許文献２に記載の広告表示付き自転車であると、広告表示のための円板の取替え作業が煩雑であるという問題点があった。
又、自転車のスポークに反射部材を取り付け、発光ダイオードからの出射光を光ファイバーを介して反射材に反射させるようにした自転車が提案されている（例えば、特許文献３参照）。
特許文献３に記載の自転車であると、夜間等の暗所において走行する自転車の存在を第三者に知らしめ交通安全に寄与するという効果があるが、日中は太陽光により発光ダイオードからの発光が目立たず広告宣伝機能は有しないという問題点があった。
【特許文献１】特開２００７−２７６７５６号公報
【特許文献２】実用新案登録第３０９９８７９号の登録実用新案公報
【特許文献３】特開平９−１０４３７７号公報
【発明の開示】
【発明の解決しようとする課題】
【０００３】  本願発明は上記従来技術の有する問題点に鑑みて創案されたものであって、簡単な構造で部品点数も少なく安価に製造でき、しかも何人も簡単にスポーク付き車輪に脱着取替えができるスポーク付き車輪用広告表示板を提供することを目的とする。
【課題を解決するための手段】
【０００４】  本願発明は、２輪車の前輪又は／及び後輪はリムとハブとの間にスポークが設けられ、該スポーク内側に取り付けられて、車輪側方から視認可能な広告表示を行うためのスポーク付き車輪用広告表示板であって、リムの側面形状よりも狭小な形状に形成された平板に、ハブを内側に配設可能な大きさのハブ配設部を開設し、前記平板の前記ハブ配設部の開口縁から平板外周縁にかけて切断部を形成し、該切断部の対向する切縁のうち一方の切縁から他方の切縁にかけて、平板を車輪のハブを中心としてスポークの内側に差し込み、スポーク配設部分内側に前記平板を取り付けるように形成されてなることを特徴とする。
【発明の効果】
【０００５】  本願発明は、部品点数も少なく簡単な構造であるため低コスト化が実現できるという効果がある。
切断部近傍部を夫々相反する内外側方にずらし切断部の対向切縁を開くことで差し込み口を形成するため、簡単に広告表示板をスポークの内側に取り付けることができ、極めて容易に広告表示板の取替えができるという効果がある。
【発明を実施するための最良の形態】
【実施例１】
【０００６】  図１はスポーク付き車輪用広告表示板を前輪及び後輪に装着した例を示す側面図、図２はスポーク付き車輪用広告表示板の表面図、図３はスポーク付き車輪用広告表示板を車輪に取り付けている状態を示す説明図である。これらの図において、平板１は耐水性、耐薬品性を有するアクリル樹脂等のプラスチック板よりなり、内側にハブ２を配設可能に真円形状のハブ配設部３を開設している。平板１は、ハブ配設部３である真円の中心を中心としてハブ配設部３の開口縁と同心円の外周縁４を具備するドーナッツ形状に形成されている。平板１には、ハブ配設部３の中心より外周縁４の方向に延びる半径上を通って一直線状に切断された切断部５を設けている。切断部５により形成された対向する一方の切縁６と他方の切縁７は互いに当接する。切縁６、７は、当接しなくても、僅かな隙間を有して対向していてもよい。平板１には孔８が穿設されている。平板１の外面には宣伝広告が記載表示されている。平板１の大きさは取り付ける自転車のリム９の内径により決定される。具体例として、平板１の半径は２６インチや２７インチの車輪用としては約２２ｃｍ程度、２４インチの車輪用としては約４０ｃｍ程度、２２インチの車輪用としては約３５ｃｍ程度、２０インチの車輪用としては３０ｃｍ程度、１８インチの車輪用としては２５ｃｍ程度、１６インチの車輪用としては２０ｃｍ程度、ハブ配設部３の半径はハブ２の大きさにもよるが一般的に約９ｃｍ程度であることが好適である。
尚、実施例１では、平板１の材質をプラスチックを例に説明しているが、本願発明は平板１の材質をプラスチックに限定するものではなく、厚紙や段ボール紙等の紙、紙の表面に合成樹脂製フィルムを設けたもの、金属性薄鈑、或は木製板等のあらゆる材質のものを含む。【０００７】  次に作用について説明する。切断部５により形成された一方の切縁６をスポーク１０の内側に差し込み、ハブ２を中心として平板１を回転するようにしてハブ２の周面から所定距離離隔してハブ配設部３の内周縁を配設することでハブ配設部３の内側にハブ２を配設し、平板１をスポーク１０の内側に配設する。平板１の孔８とスポーク１０を紐等の留め具１１で固定して取り付ける。
実施例１のスポーク付き車輪用広告表示板は略ドーナッツ形状の平板１に切断部５を設け、この切断部５により対向形成された１対の切縁６、７のうち一方の切縁６から他方の切縁にかけて平板１を回転させながら、スポークの内側に差し込んで車輪に取り付ける構成であるので、従来のスポークを有する車輪に直接的に広告表示板を取り付けることができ、リムの強度低下が生ぜず、しかも広告表示板の取替え作業が簡単であるという効果がある。又、平板の着色を特定し統一させることで、２輪車所有者の帰属する学校、団体等が分かる。更に、自転車に顕著性が生じるため盗難しにくく盗難防止にもなるという効果がある。
【実施例２】
【０００８】  図４に示される実施例について説明する。図１から図３に示されるスポーク付き車輪用広告表示板と異なる点は、平板１２の外面に発光ダイオード１３を取り付けている点である。平板１２に発光ダイオード嵌着孔が設けられ、この発光ダイオード嵌着孔に外側方に発光部が位置するように発光ダイオード１３を嵌め込んでいる。２輪車の自家発電装置により生じた電力を発光ダイオード１３に供給可能に、自家発電装置と発光ダイオード１３を導線で接続している。１４はハブ配設部である。ハブ配設部１４の開口縁から外周縁にかけて切断部１５が設けられている。切断部１５の対向切縁を内外相反する方向に加圧することで切断部１５は開き、差込口としての作用をなすものである。５に示すように、車輪のハブ２には導線挿通用の穿孔１６を設け、穿孔１６に導線を挿通することで導線が車輪のスポークに絡まないようにする。
平板１２を車輪から取り外す場合は、平板１２の発光ダイオード嵌着孔から発光ダイオード１３を取り外し、平板１２のみを周方向に回転させながらスポーク内側から抜き出すものである。
実施例１や実施例２では、スポークを具備する自転車を例に説明したが、本願発明はこれに限定するものではなくオートバイ等のスポークを具備した車輪を有する乗り物のすべてが包含される。
【図面の簡単な説明】
【０００９】
【図１】スポーク付き車輪用広告表示板を前輪及び後輪に装着した例を示す側面図である。（実施例１）
【図２】スポーク付き車輪用広告表示板の外面図である。（実施例１）
【図３】スポーク付き車輪用広告表示板を車輪に取り付けている状態を示す説明図である。（実施例１）
【図４】スポーク付き車輪用広告表示板の外面図である。（実施例２）
【図５】ハブの説明図である。（実施例２）
【符号の説明】
【００１０】  １、１２  平板
２  ハブ
３、１４  ハブ配設部
４  外周縁
５、１５  切断部
６  一方の切縁
７  他方の切縁
９  リム
１０  スポーク
１３  発光ダイオード
【図１】
2010173626.tif 000003
【図２】
2010173626.tif 000004
【図３】
2010173626.tif 000005
【図４】
2010173626.tif 000006
【図５】
2010173626.tif 000007